(57)【要約】【課題】部品点数を増大させることなく、かつ安価に、計器量を表示する領域の外周を金属調の光沢を有する立体形状の枠で装飾した車両用計器板を提供する【解決手段】透明の樹脂板１から形成され、背景領域であるベース部２と各メータ表示部３との境界に、視認側に向けて隆起するリング状の枠部５（例えば、枠部５−２）を備える。枠部５は、透明樹脂版１の裏面に、少なくとも枠部５となる領域（絞り加工を施すことによって隆起する部分）にミラーインクを印刷することによって形成されるインク層１５を積層した状態で隆起している。枠部５は、具体的には、透明樹脂版１の裏面に光輝インク層１５が形成され、さらにその上に保護層１６が形成された状態で絞り加工を施すことによって立体形状に形成される。【選択図】図１
2007232739.tif 000002
【特許請求の範囲】
【請求項１】
平滑な透明の樹脂板から形成される車両に関する計器量を表示するための車両用計器板であって、
少なくとも計器量を表示するための領域の周囲に立体形状の枠部を備え、
前記枠部は、前記樹脂板の裏側の少なくとも当該枠部となる領域に対応する位置に金属調の光沢を有する光輝インク層が積層された状態で、前記樹脂板の当該枠部となる領域を隆起または陥没させることによって形成される
ことを特徴とする車両用計器板。
【請求項２】
枠部は、当該車両用計器板を形成する平滑な透明の樹脂板の裏面に、金属顔料含有インクに含まれる片状の金属顔料の平滑面が印刷面に対し並行に配列するように印刷されることによって形成されるミラーインク層が積層された状態で、当該枠部の隆起形状に対応させた金型を用いた絞り加工を施すことによって形成される
請求項１に記載の車両用計器板。
【請求項３】
車両に関する計器量を表示するための車両用計器板の製造方法であって、
少なくとも計器量を表示するための領域の外周部分に対応する所定の範囲を立体形状の枠部となる領域として定め、
平滑な透明の樹脂板の裏側の、前記枠部となる領域に対応する位置に金属調の光沢を有する光輝インク層を形成し、
前記光輝インク層が積層された状態で前記樹脂板に対し、前記枠部となる領域を隆起または陥没させるための絞り加工を施す
ことを特徴とする車両用計器板の製造方法。
【請求項４】
絞り加工として、枠部となる領域と少なくともその周囲部分とを含む領域に対応する凹型金型に対し、枠部となる領域にのみ対応する凸型金型と、枠部となる領域を除いた少なくとも枠部となる領域の周囲部分に対応する押さえ用金型とを分けて嵌合させるプレス方式を採用する
ことを特徴とする車両用計器板の製造方法。
【発明の詳細な説明】
【技術分野】
【０００１】
本発明は、薄板状の文字板から形成されるスピードメータ等の車両に搭載される計器における目盛り等を表示するための車両用計器板に関し、特に、目盛り等を表示する領域の外周を金属調の光沢を有する立体形状の枠で装飾する車両用計器板に関する。
【背景技術】
【０００２】
従来の車両用計器板において、スピードメータ、タコメータ、燃料計等の車両に搭載される計器における目盛り（以下、計器量という。）を表示する領域（以下、メータ表示部という。）を背景領域（以下、ベース部という。）と区分けして視認性の向上を図るとともに高級感をもたせるために、メータ表示部の外周を金属調の光沢（金属調外観）を有するリング状の枠体で装飾する方法が知られている。
【０００３】
例えば、透明樹脂板にインク層を設けることでメータ表示部とベース色部とが形成された平滑な計器板表面のメータ表示部とベース色部との境界線上に、金属調外観を有する樹脂成型品であるリング状の枠体を配設させる方法がある（特許文献１、特許文献２参照。）。
【０００４】
また、例えば、透明樹脂板にインク層を設けてベース色部とメータ表示部とが形成され、さらに絞り加工を施すことでリング状の隆起部が形成され立体成型品となった計器板の該隆起部の上に、メッキ調の光沢を視覚に刺激する蒸着層を備えた樹脂フィルム材（蒸着フィルム）を被着させる方法がある（特許文献３参照。）。
【０００５】
【特許文献１】特開２００６−１８１８９０号公報
【特許文献２】特開２００２−２５７６０２号公報
【特許文献３】特開２００４−０５８４０５号公報
【発明の開示】
【発明が解決しようとする課題】
【０００６】
しかし、特許文献１または特許文献２に記載されているようなメータ表示部とベース色部とが形成された平滑な計器板表面に、別途成型した枠体を配設させる方法では、枠体が別部品であるため、製造コストおよび管理コストの増加に繋がっている。
【０００７】
また、特許文献３に記載されているような絞り加工を用いて枠部（隆起部）を一体化成型した後で蒸着フィルムを被着させて着色する方法では、別途成型した枠体を用意する必要はないが、枠部を着色する（金属調に光輝させる）ためには別途蒸着フィルムを被着させなければならず、上記と同様の問題が生じる。
【０００８】
なお、例えば、透明樹脂板にメータ表示部とベース色部に対応するインク層を形成するとともに、枠部となる部分にアルミニウムやニッケル等の微視サイズの金属を蒸着法により定着させた平滑な計器板を形成した後に、真空成型や圧空成型といった絞り加工を施して枠部を隆起させる方法も考えられる。しかしながら、所定の領域にだけ金属蒸着層を形成するためには、蒸着層のエッチング処理が必要でありそのための加工費が必要となるだけでなく、そもそも金属蒸着層を計器板に定着させるための材料費自体が高価であるため、製造コストが非常に高価となってしまう。
【０００９】
そこで、本発明は、部品点数を増大させることなく、かつ安価に、計器量を表示する領域の外周を金属調の光沢を有する立体形状の枠で装飾した車両用計器板を提供することを目的とする。
【課題を解決するための手段】
【００１０】
本発明による車両用計器板は、平滑な透明の樹脂板から形成される車両に関する計器量を表示するための車両用計器板であって、少なくとも計器量を表示するための領域（例えば、メータ表示部３）の周囲に立体形状の枠部を備え、枠部は、樹脂板の裏側の少なくとも当該枠部となる領域に対応する位置に金属調の光沢を有する光輝インク層が積層された状態で、樹脂板の当該枠部となる領域を隆起または陥没させることによって形成されることを特徴とする。
【００１１】
また、枠部は、当該車両用計器板を形成する平滑な透明の樹脂板の裏面に、金属顔料含有インクに含まれる片状の金属顔料の平滑面が印刷面に対し並行に配列するように印刷されることによって形成されるミラーインク層が積層された状態で、当該枠部の隆起形状に対応させた金型を用いた絞り加工を施すことによって形成されてもよい。
【００１２】
また、本発明による車両用計器板の製造方法は、車両に関する計器量を表示するための車両用計器板の製造方法であって、少なくとも計器量を表示するための領域の外周部分に対応する所定の範囲を立体形状の枠部となる領域として定め、平滑な透明の樹脂板の裏側の、枠部となる領域に対応する位置に金属調の光沢を有する光輝インク層を形成し、光輝インク層が積層された状態で樹脂板に対し、枠部となる領域を隆起または陥没させるための絞り加工を施すことを特徴とする。
【００１３】
また、車両用計器板の製造方法は、絞り加工として、枠部となる領域と少なくともその周囲部分とを含む領域に対応する凹型金型に対し、枠部となる領域にのみ対応する凸型金型と、枠部となる領域を除いた少なくとも枠部となる領域の周囲部分に対応する押さえ用金型とを分けて嵌合させるプレス方式を採用してもよい。
【発明の効果】
【００１４】
本発明によれば、部品点数を増大させることなく、かつ安価に、計器量を表示する領域の周囲を金属調の光沢を有する立体形状の枠で装飾した車両用計器板を提供することができる。
【００１５】
また、本発明によれば、金属調外観を有するメータ表示部外周枠を任意のデザインに合わせて容易に形成することが可能である。
【発明を実施するための最良の形態】
【００１６】
以下、図面を参照して本発明の実施の形態を説明する。図１（ａ）は、本発明による車両用計器板の一例を示す正面図である。また、図１（ｂ）は、図１（ａ）に示す車両用計器板のＡ−Ａ’断面図である。図１に示す車両用計器板は、車両の速度を表示するスピードメータ３−１、車両のエンジンの回転数を表示するタコメータ３−２、車両の燃料残量を表示する燃料計３−３とが一体となって構成されている車両用計器板の例である。以下、スピードメータ３−１、タコメータ３−２、燃料計３−３のように車両に関する計器量を表示する部分を総称してメータ表示部３という。なお、車両用計器板は、車両に関する一つの計器量を表示する計器板であってもよい。また、図１に示すように、メータ表示部３の他に、方向指示器４−１や警告標識４−２など各種シンボル表示部４が配置されていてもよい。
【００１７】
車両用計器板は、透明の樹脂板１から形成される。本車両用計器板は、背景領域であるベース部２と各メータ表示部３との境界に、視認側に向けて隆起するリング状の枠部５（具体的にはスピードメータ枠部５−１、タコメータ枠部５−２、燃料計枠部５−３）を備える。図２は、図１（ｂ）に示す車両用計器板の断面図のうち、枠部５の一部分を含む領域（図１においてＢで示す領域）を拡大して示したものである。図２に示すように、枠部５（図示においてタコメータ枠部５−２）は、透明樹脂版１の裏面（反視認側の面）に、少なくとも枠部５となる領域（絞り加工を施すことによって隆起する部分）にミラーインクを印刷することによって形成されるインク層１５（以下、光輝インク層１５という。）を積層した状態で隆起している。なお、枠部５は、具体的には、透明樹脂版１の裏面にミラーインクによる光輝インク層１５が形成され、さらにその上に保護層１６が形成された状態で絞り加工を施すことによって立体形状に形成される。ここで、ミラーインクとは、透明樹脂板の裏面から印刷することで鏡面のような光沢を視認させるインクをいう。なお、ミラーインクは、鏡面インクと呼ばれる場合もある。具体的には、金属顔料含有インクであって、例えば、金属顔料に燐片状の粉体を用い、成膜後、金属含量の平滑面が透明樹脂板に対し並行に配列することによって、金属町着膜相当の輝度を有するインクである。
【００１８】
なお、本例では、枠部５に対応する光輝インク層１５以外に、ベース部２およびメータ表示部３における背景領域に対応するインク層１２，１３が、透明樹脂板１の表面（視認側）に光不透過性インク（例えば、黒色のインクやメタリックインク）を印刷することによって形成されている。以下、ベース部２に対応するインク層１２をベース部インク層１２といい、メータ表示部３における背景領域に対応するインク層１３をメータ表示部インク層１３という。ベース部インク層１２およびメータ表示部インク層１３は、裏面から照光させる必要のある領域（メータ表示部３における数値や目盛り、単位等の表示部、各種シンボル表示４に対応する領域）には印刷されない。また、視認側から見て枠部５となる領域（隆起する部分）に被らないように印刷される。
【００１９】
保護層１６は、必要に応じて光輝インク層１５を保護するために形成される。例えば、絞り加工を施す際に金型との接触によって光輝インク層１５が剥がれないようにするために形成される。保護層１６は、絞り加工時の加熱温度によって溶解しないだけの耐熱性を有し、かつ絞りによって塗膜に切れが発生しないだけの延展性を有していればよい。例えば、ポリカーボネート樹脂による樹脂塗料を印刷して形成すればよい。
【００２０】
次に、本車両用計器版の製造方法について説明する。図３は、本発明による車両用計器版の製造工程を示す説明図である。図３に示すように、本車両用計器版の製造方法は、印刷工程と、絞り加工工程とを含んで構成される。なお、図３（ａ）は印刷工程、図３（ｂ）は絞り加工工程を示す模式的断面図である。
【００２１】
まず、図３（ａ）に示す印刷工程では、車両用計器版の元となる透明樹脂板１に対し、所定のインク層および保護層１６が形成される。透明樹脂板１は、例えば、ポリカーボネート樹脂板である。ここでは、所定のインク層として、ベース部インク層１２、メータ表示部インク層１３、および光輝インク層１５が形成される。なお、光輝インク層１５は、透明樹脂版１の裏面の少なくとも枠部５となる領域（隆起する部分）にミラーインクを印刷することによって形成される。また、光輝インク層１５以外のインク層は、視認側から見て枠部５となる領域（隆起する部分）に被らないように形成される。また、保護層１６は、少なくとも光輝インク層１５が形成されている領域を覆う領域に形成される。なお、全領域を覆うように形成されてもよい。
【００２２】
図４は、絞り加工をする前の車両用計器板において枠部５の一部分を含む領域（図１においてＢで示す領域）の断面図である。図４に示すように、光輝インク層１５は、枠部５となる領域（絞り加工を施すことによって隆起する部分）だけでなく、ベース部２およびメータ表示部３における背景領域と重なるラップ範囲６を含むように形成されることが好ましい。このような場合には、夜間照明時の光漏れや、印刷ずれ等による外観不具合をより確実に回避できるようになる。ラップ範囲６は、印刷のずれ幅や裏面から照光させる必要のある領域の位置を考慮した上で、光輝インク層１５と他のインク層（ベース部インク層１２およびメータ表示部インク層１３）とが重なるだけの幅が確保されていればよい。例えば、ラップ範囲６として０．１ｍｍ〜０．７ｍｍ程度を印刷範囲にプラスすればよい。
【００２３】
なお、ベース部２およびメータ表示部３における背景領域に対応するインク層１２，１３は、透明樹脂板１の表面に限らず、透明樹脂板１の裏面に形成されていてもよい。例えば、図５に示すように、透明樹脂版１の裏面において、ベース部２となる領域やメータ表示部３における背景領域となる領域（従って、枠部５となる領域は除く）に所定のインクによるベース部インク層１２およびメータ表示部インク層１３を形成し、そのベース部インク層１２およびメータ表示部インク層１３にラップさせる（被せる）ように、枠部５に対応するミラーインクによる光輝インク層１５を形成してもよい。
【００２４】
また、例えば、図６に示すように、透明樹脂版１の裏面において、枠部５となる領域にミラーインクによる光輝インク層１５を形成し、その光輝インク層１５にラップさせる（被せる）ように、ベース部２に対応するベース部インク層１２およびメータ表示部３における背景領域に対応するメータ表示部インク層１３を形成してもよい。なお、このような場合には、ラップ範囲６は枠部５となる領域上に形成されることになる。
【００２５】
次に、図３（ｂ）に示す絞り加工工程では、印刷工程にて作製された所定インク層および保護層１６が積層された透明樹脂板１（以下、単にワークという。）に対し、枠部５となる領域を所望の立体リング形状に変形させるための金型７を用いて加熱絞り加工を施すことによって、枠部５を形成する（隆起させる）。
【００２６】
なお、絞り加工工程は、具体的には、加熱工程と絞り工程とに分かれる。まず、加熱工程で、透明樹脂板１を軟化可能な温度に加熱する。なお、加熱温度は、透明樹脂板１の発泡を生じない温度かつインク層および保護層のインク溶解を生じない温度とする。加熱方法は、金型７に備え付けられた加熱手段（例えば、電熱ヒータ）を用い、金型７に透明樹脂板１を載せることで加熱してもよい。
【００２７】
次に、絞り工程では、加熱工程によって軟化状態となったワークに対し、金型７を用いて成形する。例えば、枠部５が形成される位置に対応して枠部５の隆起形状に合わせた凹部を有する凹型および枠部５の隆起形状に合わせた凸部を有する凸型による一対の金型７を用いて、ワークを両金型で挟み込むように加圧するプレス方式によって成形してもよい。また、例えば、凹型・凸型のいずれか一方の金型を用い、金型の上に配置したワークに対し真空空気または圧空空気を供給し、ワークを金型に密着するように押し当てる真空圧着方式または圧空圧着方式によって成形してもよい。なお、真空空気及び圧空空気を供給し、両方の圧力によってワークを金型に押し当てるようにしてもよい。絞り工程の結果、ワークを金型の形状に合わせて立体形状とすることが可能である。すなわち、ワークに対して所望の隆起形状を得ることが可能である。
【００２８】
図７は、枠部５の隆起形状例を示す説明図である。図７に示すように、枠部５の隆起形状は、図２に示すような台形形状に限らず、丸みを帯びた形状や、内側（メータ表示部３側）と外側（ベース部２側）とで傾斜角度が異なるような形状にすることも可能である。なお、隆起形状に限らず、全体的な形状についても所望の形状に合わせた金型を用意するだけで、メータ表示部３の周囲を装飾する様々な形状の枠部５を形成することができる。例えば、メータ表示部３として他の領域（ここでは、ベース部２）と外観的に区分けしたい形状（メータ表示部３の外周形状）に合わせて、楕円状や、半円状、扇状の枠部５を形成することも可能である。なお、枠部５は、リング状のように必ずしも繋がっていなくてもよく、メータ表示部３が他の領域と外観的に区分けされるのであれば、メータ表示部３の周囲の一部を除いて囲むように形成したり、またはメータ表示部３の周囲を部分的に囲むように形成してもよい。
【００２９】
なお、本工程の後、本車両計器板は、所定の形状に切り出され、図示しない指針が回転駆動されるように装着されることによって車両用計器として用いられるようになる。
【００３０】
このように、本実施の形態によれば、少なくとも枠部５となる領域に対応させて予め透明樹脂板１の裏面に光輝インク層１５を積層させた状態で、その枠部５となる領域を所定形状に絞り加工することによって、金属調の光沢を有する立体形状の枠部５を備えた車両計器板を一体化成形によって作製することができる。従って、部品点数を増大させることなく、かつ安価に、計器量を表示する領域の周囲を金属調の光沢を有する立体形状の枠で装飾した車両用計器板を提供することができる。
【００３１】
なお、本実施の形態では、絞り加工の手法として、プレス方式、真空圧着方式、および圧空圧着方式を示したが、加熱温度によっては光輝インク層１５の光沢に影響が見られる場合がある。例えば、あまりに高温（例えば、１８０℃以上）に設定すると、光輝インク層１５において粒子の配列が乱れ、所望の光沢が得られない場合がある。図８に示す方法は、加熱温度を低く設定した場合であっても所望の絞りを得ることができる方法の一例である。具体的には、本方法は、ワークに掛かる温度が１５０℃以下になることを条件にしている。なお、０．５ｍｍの板厚のポリカーボネート樹脂板によるワークに本方法を適用した結果、所望の光沢をもったままで、所望の立体形状の枠部５が得られている。なお、上記ワークには、保護層１６として、ポリカーボネート樹脂による樹脂塗料を１０μｍの厚さで印刷している。
【００３２】
図８は、絞り加工方法の一実施例を示す説明図である。図８に示すように、本絞り加工方法はプレス方式を用いた絞り加工方法であって、ワークセット工程と、挟み込み・加熱工程と、絞り工程と、型開き工程とを含んで構成される。なお、図８（ａ）はワークセット工程、図８（ｂ）は挟み込み・加熱工程、図８（ｃ）は絞り工程、図８（ｄ）は型開き工程を示す模式的断面図である。
【００３３】
ここで、本プレス方式で用いる金型について説明する。本例で用いるプレス方式では、枠部５の隆起形状に合わせた凹部を有する凹型金型７１（枠部５だけでなく少なくとも枠部５の周囲部分を含む領域に対応する凹型の金型）に対し、枠部５となる領域（隆起部分）にのみ対応する凸型金型７２と、枠部５となる領域を除いた少なくとも枠部５の周囲部分（本例においては、ワークを保持できるだけの領域を要する。）に対応するワーク押さえ板７３とを分けて嵌合させる。
【００３４】
図９〜図１２は、１つの枠部５を形成するために本プレス方式で用いる金型の例を示す説明図である。図９は、凹型金型７１の例を示す上面図およびＡ−Ａ’断面図である。また、図１０は、図９に示す凹型金型７１に対応する凸型金型７２の例を示す上面図およびＡ−Ａ’断面図である。また、図１１は、図１０に示す凸型金型７２に対応するワーク押さえ板７３の例を示す上面図および断面図である。また、図１２は、これら凹型金型７１、凸型金型７２およびワーク押さえ板７３を組み合わせた状態を示す断面図である。
【００３５】
図９に示すように、凹型金型７１は、一般的な凹型の金型と同様に、少なくとも枠部５の周囲部分を含む領域に対応し枠部５の隆起形状に合わせた凹部を有する凹型の金型である。具体的には、枠部５だけでなくベース部２およびメータ表示部３において枠部５と接している部分を含む領域（ワークの全領域であってもよい）の形状に対応する凹型の金型である。なお、車両計器板が複数の枠部５を備える場合には、ワークにおいて各枠部５が配置される位置に各枠部５の隆起形状に合わせた凹部を有することになる。一方、図１０に示すように、凸型金型７２は、枠部５の隆起形状に合わせた凸部を有する凸型の金型であるが、枠部５となる領域にのみ対応する金型である。すなわち、枠部５の隆起形状に合わせた凸部のみからなる金型である。また、ワーク押さえ板７３は、ワークを絞る際に凹型金型７１と協働して枠部５の周囲部分を押さえるために用いられる。具体的には、ワーク押さえ板７３は、図１１に示すように、枠部５が形成される位置に対応づけて凸型金型７２を通すための切り抜き部を有し、その切り抜き部から凸型金型７２が押し出された状態において少なくとも枠部５の周囲部分に対応する金型の役割を果たすものである。なお、本プレス方式では、ワークを保持する役割を果たすものでもあるため、ワークを保持できるだけの領域を備えていることが必要である。
【００３６】
なお、図１１に示すように、本例では、ワーク押さえ板７３の裏側にコイルバネが取り付けられている。これは、初期状態（ワーク押さえ板７３にワークを搭載しただけの無加圧状態）において、当該ワーク押さえ板７３と凸型金型７２の頂点部分とを同じ高さにするためであり、かつ下方向の圧力に伴って、凸型金型７２が枠部５を隆起させる高さに達するまで押し出されるようにするためである。
【００３７】
図１３は、凸型金型７２とワーク押さえ板７３との位置関係を示す説明図である。図１３（ａ）は、初期状態における凸型金型７２とワーク押さえ板７３との位置関係を示している。また、図１３（ｂ）は、ワーク押さえ板７３に加圧した際の最終的な凸型金型７２とワーク押さえ板７３との位置関係を示している。図１３（ａ）に示すように、初期状態では、凸型金型７２は、その頂点部分がワーク押さえ板７３と同じ高さになるように配置される。そして、ワーク押さえ板７３に対し、下方向の圧力が加わると、最終的に、凸型金型７２の頂点部分がワーク押さえ板７３の切り抜き部から枠部５を隆起させる高さに達するまで押し出される。なお、図１２に示すように、実際は、ワーク押さえ板７３に対する加圧は、凹型金型７１が下に移動することによって行われる。従って、凹型金型７１とワーク押さえ板７３との間で枠部５の周囲部分を狭持した状態で、凸型金型７２が押し出されることになる。
【００３８】
このような位置関係を満たすように、凹型金型７１、凸型金型７２およびワーク押さえ板７３が配置されているプレス加工機を用い、まず、ワークセット工程（図８（ａ）に示す工程）では、ワークをワーク押さえ板７３にセットする（搭載させる）。ここでは、ワーク押さえ板７３の切り抜き部の位置に枠部５となる領域が重なるように搭載させる。また、ワークは表側を上にして搭載される。
【００３９】
次に、挟み込み・加熱工程（図８（ｂ）に示す工程）では、凹型金型７１を下降させ、凹型金型７１とワーク押さえ板７３とでワークを挟み込んだ状態にし、その状態でワークを加熱する。具体的には、ワーク押さえ板７３の高さにワークの厚さを足した高さに到達するまで、凹型金型７１を下降させればよい。凹型金型７１および凸型金型７２には図示しないヒータが直結されており、予め所定の温度に加熱されている。本例では、凹型金型７１は１０５℃、凸型金型７２は８５℃に加熱されている。なお、これらの温度は、ワークに掛かる温度を１５０℃以下にすることを条件に設定した例であって、これらの温度に限定されない。ワーク押さえ板７３と凸型金型７２の頂点部分は初期状態において同じ高さ位置になるように配置されているため、凹型金型７１をワークに接触する位置まで下降させ、凹型金型７１と凸型金型７２の両金型の熱でワークを加熱させる。なお、挟み込んだ状態は、ワークが軟化状態になるまで維持される。
【００４０】
次に、絞り工程（図８（ｃ）に示す工程）では、更に凹型金型７１を下降させ、凹型金型７１の下降に伴ってワーク押さえ板７３の切り抜き部から押し出される凸型金型７２によって、ワークを徐々に絞っていく（変形させていく）。具体的には、押し出される凸型金型７２の頂点部分が、ワーク押さえ板７３の切り抜き部から枠部５を隆起させる高さに達するまで、凹型金型７１を下降させればよい。本プレス方式では、凹型金型７１の下降に伴い、コイルバネの荷重が強くなるので、より強い力で枠部５の周囲部分が狭持されるようになる。このことにより、例えば、メータ表示部３の目盛り表示がつられて絞られていくといったワークの絵柄の位置ずれを抑制しつつ、所定箇所（図８（ｂ）において丸で囲んでいる部分）を絞ることが可能となる。
【００４１】
最後に、型開き工程（図８（ｄ）に示す工程）では、所定の高さ位置まで下降させた凹型金型７１を上昇させて、所望の立体形状が形成されたワークを取り出せばよい。
【００４２】
本プレス方式によれば、ワークに掛かる温度を低く（例えば、１５０℃以下）設定しても、ワークの絵柄の位置ずれを抑制しつつ所望の立体形状の枠部５を容易に得ることができる。従って、所望の光沢をもったまま、所望の立体形状の枠部５を得ることができる。また、ワーク押さえ板７３にコイルバネを取り付けてコイルバネによる高さ制御を行えば、凹型金型７１に対し一同に圧力を加えるだけでよく、金型形状に依存しない駆動制御が可能となるので、金属調外観を有するメータ表示部外周枠を任意のデザインに合わせて容易に形成することができる。
【００４３】
なお、本例では、凹型金型７１を駆動側、凸型金型７２を固定側とする場合を例に示したが、凸型金型７２を駆動側、凹型金型７１を固定側とすることも可能である。そのような場合には、凹型金型７１を下降させる工程に替わり、凸型金型７２およびコイルバネが取り付けられた床面ごとを上昇させればよい。
【００４４】
また、本例では、凹型金型７１が上方、凸型金型７２およびワーク押さえ板７３が下方に位置するように配置される例を示したが、これらの上下関係は反転させてもよい。すなわち、凹型金型７１が下方、凸型金型７２およびワーク押さえ板７３が上方に位置するように配置されてもよい。そのような場合には、ワークセット工程で、凹型金型７１にワークを裏側を上にしてセットすればよい。また、挟み込み・加熱工程で、ワークが搭載された凹型金型７１に対し、ワーク押さえ板７３と凸型金型７２とを初期状態における高さ関係を維持させたまま下降させればよい。そして、絞り工程では、凸型金型７２がワーク押さえ板７３の切り抜き部から枠部５の裏側を窪ませる深さに達するまで押し出せばよい。
【００４５】
また、本例では、メータ表示部３とベース部２とを外観的に区分けする枠部５として、視認側に向けて隆起させる例を示したが、枠部５は、図１４に示すように、視認側から見て陥没するように（すなわち、反視認側に向けて隆起するように）形成することも可能である。なお、そのような場合には、絞り加工工程におけるワークの設置面を逆にすればよい。なお、印刷工程における所定のインク層および保護層１６の形成方法は、隆起させる場合も陥没させる場合も同様である。すなわち、陥没させる場合であっても、光輝インク層１５は、透明樹脂板１の裏面（反視認側の面）の少なくとも枠部５となる領域に形成される。また、光輝インク層１５以外のインク層は、視認側から見て枠部５となる領域（陥没する部分）に被らないように形成される。また、保護層１６は、必要に応じて少なくとも光輝インク層１５が形成されている領域を覆う領域に形成される。
【産業上の利用可能性】
【００４６】
本発明は、車両用計器板に限らず、平滑な透明樹脂板から形成される立体成形品を金属調の光沢で装飾したい場合に、好適に適用可能である。
【図面の簡単な説明】
【００４７】
【図１】本発明による車両用計器板の一例を示す正面図および断面図である。
【図２】枠部５の一部分を含む領域の断面図である。
【図３】本発明による車両用計器版の製造工程を示す説明図である。
【図４】絞り加工をする前の枠部５の一部分を含む領域の断面図である。
【図５】他の印刷例を示す説明図である。
【図６】他の印刷例を示す説明図である。
【図７】枠部５の隆起形状の他の例を示す説明図である。
【図８】絞り加工方法の一実施例を示す説明図である。
【図９】プレス方式で用いる金型の例を示す説明図である。
【図１０】プレス方式で用いる金型の例を示す説明図である。
【図１１】プレス方式で用いる金型の例を示す説明図である。
【図１２】プレス方式で用いる金型の例を示す説明図である。
【図１３】凸型金型７２とワーク押さえ板７３との位置関係を示す説明図である。
【図１４】枠部５を陥没させる例を示す説明図である。
【符号の説明】
【００４８】
１  透明樹脂板
２  ベース部
３  メータ表示部
４  各種シンボル部
５  枠部
６  ラップ範囲
７  金型
１２  ベース部インク層
１３  メータ表示部インク層
１５  光輝インク層
１６  保護層
７１  凹型金型
７２  凸型金型
７３  ワーク押さえ板
【図１】
2007232739.tif 000003
【図２】
2007232739.tif 000004
【図３】
2007232739.tif 000005
【図４】
2007232739.tif 000006
【図５】
2007232739.tif 000007
【図６】
2007232739.tif 000008
【図７】
2007232739.tif 000009
【図８】
2007232739.tif 000010
【図９】
2007232739.tif 000011
【図１０】
2007232739.tif 000012
【図１１】
2007232739.tif 000013
【図１２】
2007232739.tif 000014
【図１３】
2007232739.tif 000015
【図１４】
2007232739.tif 000016